(57)【要約】【課題】棚の奥部に陳列される商品であっても、効果的に照明することを可能とするショーケースを提供する。【解決手段】本発明のショーケース１は、前面が開口する陳列室１１内に商品陳列用の棚３０を架設してなるものであって、開口１２下縁に設けられ、ＬＥＤ素子４３を有する開口下ＬＥＤ照明装置５０と、棚３０の下面に構成された反射部材５５とを備え、開口下ＬＥＤ照明装置５０により、棚３０の反射部材５５に光を照射し、反射させて当該反射部材５５下方の商品を照明する。【選択図】図４
2010084987.tif 000002
【特許請求の範囲】
【請求項１】
前面が開口する陳列室内に商品陳列用の棚を架設してなるショーケースにおいて、
前記開口下縁に設けられ、ＬＥＤ素子を有する開口下ＬＥＤ照明装置と、
前記棚の下面に構成された反射面とを備え、
前記開口下ＬＥＤ照明装置により、前記棚の反射面に光を照射し、反射させて当該反射面下方の商品を照明することを特徴とするショーケース。
【請求項２】
前記開口上縁に設けられ、ＬＥＤ素子を有する開口上ＬＥＤ照明装置を備え、
該開口上ＬＥＤ照明装置により、前記陳列室内を照明することを特徴とする請求項１に記載のショーケース。
【発明の詳細な説明】
【技術分野】
【０００１】
本発明は、前面が開口する陳列室内に架設した棚上に商品を陳列するショーケースに関するものであって、特に、当該棚上やデッキパン上の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明していた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、当該棚に設けられる反射板を用いても、当該照明装置が設けられる棚の下方に設けられる棚上や底板上にしか照射光を向けることができない。
【０００６】
そのため、上前方から照射された光は、棚上の前部に陳列される商品によって遮られることとなり、棚の奥部に陳列される商品は、殆ど照明されないこととなる。従って、陳列室内全体を明るく照明することができず、特に奥部に陳列される商品の陳列効果が低減される問題があった。
【０００７】
本発明は、従来の技術的課題を解決するためになされたものであり、棚の奥部に陳列される商品であっても、効果的に照明することを可能とするショーケースを提供する。
【課題を解決するための手段】
【０００８】
本発明のショーケースは、前面が開口する陳列室内に商品陳列用の棚を架設してなるものであって、開口下縁に設けられ、ＬＥＤ素子を有する開口下ＬＥＤ照明装置と、棚の下面に構成された反射面とを備え、開口下ＬＥＤ照明装置により、棚の反射面に光を照射し、反射させて当該反射面下方の商品を照明することを特徴とする。
【０００９】
請求項２の発明のショーケースは、上記発明において、開口上縁に設けられ、ＬＥＤ素子を有する開口上ＬＥＤ照明装置を備え、開口上ＬＥＤ照明装置により、陳列室内を照明することを特徴とする。
【発明の効果】
【００１０】
本発明によれば、前面が開口する陳列室内に商品陳列用の棚を架設してなるショーケースにおいて、開口下縁に設けられ、ＬＥＤ素子を有する開口下ＬＥＤ照明装置と、棚の下面に構成された反射面とを備え、開口下ＬＥＤ照明装置により、棚の反射面に光を照射し、反射させて当該反射面下方の商品を照明することにより、開口下縁に設けられた開口下ＬＥＤ照明装置によって、棚上やデッキパン上の前部に載置される商品のフェース面を効果的に照明することが可能となる。
【００１１】
また、開口下ＬＥＤ照明装置から照射された光は棚の下面に構成された反射面に反射することにより、棚上やデッキパン上の奥部に陳列される商品をも効果的に照明することが可能となる。
【００１２】
これによって、棚上やデッキパン上を効果的に照明することが可能となり、陳列効果の向上を図ることができる。
【００１３】
また、請求項２の発明によれば、上記発明に加えて、開口上縁に設けられ、ＬＥＤ素子を有する開口上ＬＥＤ照明装置を備え、開口上ＬＥＤ照明装置により、陳列室内を照明することにより、棚上やデッキパン上の商品を上方からもＬＥＤ素子からの光を照射することができ、陳列室内全体に渡って満遍なく商品を照明することが可能となる。これにより、更に陳列室内の商品の陳列効果を向上させることができる。
【発明を実施するための最良の形態】
【００１４】
次に、図面を参照して本発明の実施形態について詳述する。図１は本発明を適用したショーケース１の斜視図、図２は図１のショーケース１の縦断側面図をそれぞれ示している。ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１５】
ショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板の下端前方には、底板９が断熱壁２の底壁２Ａとの間にダクト用の間隔を存して取り付けられており、これら仕切板４及びデッキパン９の内側を陳列室１１としている。
【００１６】
また、この陳列室１１内には、高さ及び取付角度が変更可能であると共に、陳列室１１内背部の図示しない支柱に取り付けられる一対のブラケット３１及びこれらと共に棚３０を構成する棚板３２が複数段に渡って架設されている。
【００１７】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００１８】
一方、底板９下方後部には断熱壁２の底壁２Ａ上に前記内層ダクト及び外層ダクトのそれぞれに対応する図示しない送風機が複数台設置されている。
【００１９】
背部仕切板（仕切板４）後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２０】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２１】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２２】
次に、断熱壁２の天壁２Ｂ前部の構成について説明する。尚、図３は開口上ＬＥＤ照明装置４０の概略構成図である。断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２３】
この反射板４５は、化粧塗装が施された金属板にて構成されており、前部には、長手方向に渡って延在する開口上ＬＥＤ照明装置４０が両端に設けられる照明取付部材４１によって固定されている。この開口上ＬＥＤ照明装置４０は、図３に示すように複数のＬＥＤ照明部材４６が左右に渡って並設されることにより構成されている。
【００２４】
このＬＥＤ照明部材４６は、複数のＬＥＤ素子４３が配設された基板４２により構成されており、当該基板４２は前面開口１２の長手方向に渡って（本実施例では左右方向に渡って）構成される熱良導性の取付板４４に固定されている。それぞれの基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２５】
本実施例において、当該ＬＥＤ照明部材４６は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明部材４６が４個〜１２個（複数個）左右渡って並設される。
【００２６】
そして、各ＬＥＤ照明部材４６は、下側から囲繞するかたちで取り付けられる透光性のシェード４７によってカバーされる。
【００２７】
また、本実施例では、当該開口上ＬＥＤ照明装置４０と略同一の構成とされる上部ＬＥＤ照明装置４８が、仕切板４の天壁部であって、内層吐出口１６の後方、且つ、陳列室１１前部上方に位置して設けられている。
【００２８】
係る構成により、開口上ＬＥＤ照明装置４０及び上部ＬＥＤ照明装置４８が点灯されると、各シェード４７において拡散された後のそれぞれのＬＥＤ素子４３の照射光により、陳列室１１の外側に位置する上前方から、及び、陳列室１１内に位置する上前部から効果的に陳列室１１内全体を照明することが可能となる。
【００２９】
次に、図４を参照してショーケース１下部に設けられる照明装置について説明する。図４は図１のショーケース１下部の拡大縦断側面図を示している。上述した如き前面開口１２の下縁を構成する断熱壁２の下側前壁２Ｃの上端部の陳列室１１側、本実施例では、各吸込口１８、１９の少許上方に位置して、開口下ＬＥＤ照明装置５０が設けられている。この開口下ＬＥＤ照明装置５０は、前面開口１２の下縁に位置し、当該開口１２の全幅に渡って設けられる照明装置であり、上記開口上ＬＥＤ照明装置４０と同様に図３に示すような複数のＬＥＤ照明部材４６が左右に渡って並設されることにより構成されている。なお、当該開口下ＬＥＤ照明装置５０を構成する各ＬＥＤ照明部材４６の構成は、上記開口上ＬＥＤ照明装置４０と同様であるため、説明を省略する。
【００３０】
この場合、各ＬＥＤ照明部材４６は、前面開口１２の下縁を構成する断熱壁２の下側前壁２Ｃの上端部には、陳列室１１側に位置して設けられる反射板５１に取付部材４４を介して固定されている。各ＬＥＤ照明部材４６を構成する各ＬＥＤ素子４３が陳列室１１後部上方に向けて光を照射するように、本実施例では、主として最下段の棚３０及び下から二段目の棚３０のそれぞれの下面に向けて反射板５１に固定される。
【００３１】
他方、陳列室１１内に架設される複数段の棚３０の棚板３２前部下面、本実施例では、開口下ＬＥＤ照明装置５０からの照射光が照射される最下段の棚３０及び下から二段目の棚３０のそれぞれの下面に、所定の面積を有する反射部材（反射面）５５が設けられている。
【００３２】
尚、本実施例において、反射部材５５は、入射角に対し、所定の出射角にて光を反射させるものに限られず、入射された光を拡散、若しくは当該反射の向きを光学的に設計した反射部材や、開口下ＬＥＤ照明装置５０からの照射光を集光して所定の角度にて反射させる光学レンズなどであってもよい。
【００３３】
係る構成により、開口下ＬＥＤ照明装置５０が点灯されると、シェード４７において拡散された後のそれぞれのＬＥＤ素子４３の照射光により、陳列室１１内に位置する下前部から陳列室１１後部上方に向けて効果的に陳列室１１内、特に、開口上ＬＥＤ照明装置４０や上部ＬＥＤ照明装置４８からの照射光が届きにくい陳列室１１下部を照明することが可能となる。
【００３４】
これにより、下方に位置する棚３０上の前部に載置される商品やデッキパン９上の前部に載置される商品のフェース面を効果的に照明することが可能となる。また、開口下ＬＥＤ照明装置５０から照射された光は、陳列室１１内下部に架設される棚３０（棚板３２）の前部下面に設けられる反射部材５５の反射面に反射することにより、当該反射光によって反射部材５５下方に陳列される商品や当該反射部材５５の下方に位置する棚３０やデッキパン９上の奥部に陳列される商品をも効果的に照明することが可能となる。
【００３５】
これによって、陳列室１１内下部に架設される棚３０の奥方にまで照明を当てることが可能となるため、陳列室１１内下部を広く見せることが可能となり、当該棚３０上やデッキパン９上に陳列される商品を効果的に照明することができる。従って、通常、照明が届きがたい陳列室１１内下部の奥方であっても陳列効果の向上を図ることが可能となる。
【００３６】
そのため、棚下に設けられる反射板による反射光によって、棚上やデッキパン９上に載置される商品をフェース面のみならず、フラット面（上面）にも光を照射することが可能となるため、棚３０の下面前部に、棚下用の照明装置を格別に設けることなく、効果的な照明を実現することが可能となる。そのため、棚下に設けられる照明装置を削減することができるため、陳列スペースの拡張を図ることができ、陳列作業の向上や、美感の向上を図ることができる。
【００３７】
また、開口下ＬＥＤ照明装置５０は、上下方向にＬＥＤ素子４３からの光の照射角度を調整可能なものとしてもよい。これにより、いずれの高さの棚３０上前部を中心に照明するかを調整することができる。
【００３８】
更に、本実施例では、開口下ＬＥＤ照明装置５０のみならず、前面開口１２の上縁には、開口の全幅に渡って開口上ＬＥＤ照明装置４０や上部ＬＥＤ照明装置４８が設けられていることから、棚３０上やデッキパン９上の商品を上方からもＬＥＤ素子４３からの光を照射することができ、陳列室１１内全体に渡って満遍なく商品を照明することが可能となる。これにより、更に陳列室１１内の商品の陳列効果を向上させることができる。
【００３９】
尚、本実施例では、開口下ＬＥＤ照明装置５０は、上述したように陳列室１１内の冷気や冷気エアーカーテンを形成した冷気が吸い込まれる各吸込口１８、１９付近（少許上方）に設けられているため、当該吸込口１８、１９に、開口下ＬＥＤ照明装置５０からの廃熱を逃がすことが可能となり、当該吸込口１８、１９付近への結露を防止することができる。従って、従来吸込口１８、１９付近に設けられていた結露防止用のヒータを削除することが可能となる。
【００４０】
また、本実施例では、開口下ＬＥＤ照明装置５０を陳列室１１内に位置する吸込口１８、１９付近の開口縁に設けているが、これに限定されるものではなく、例えば、ハンドレール２０に設けても同様の効果を得ることができる。本実施例では、反射部材５５は、棚３０の前部下面に設けられているが、これに限定されるものではなく、当該前部下面から中央部更には、後部下面にまで渡って設けられていてもよい。
【図面の簡単な説明】
【００４１】
【図１】本発明を適用したショーケースの斜視図である。
【図２】図１のショーケースの縦断側面図である。
【図３】開口上ＬＥＤ照明装置の概略構成図である。
【図４】図１のショーケース下部の拡大縦断側面図である。
【符号の説明】
【００４２】
１    ショーケース
２    断熱壁
２Ａ  底壁
２Ｂ  天壁
２Ｃ  前壁
５    側板
９    デッキパン
１１  陳列室
１２  前面開口
１８、１９  吸込口
２０  ハンドレール
３０  棚
３１  ブラケット
３２  棚板
３３  キャノピー
４０  開口上ＬＥＤ照明装置
４１  照明取付部材
４２  基板
４３  ＬＥＤ素子
４４  取付板
４５  反射板
４６  ＬＥＤ照明部材
４７  シェード
４８  上部ＬＥＤ照明装置
５０  開口下ＬＥＤ照明装置
５１  反射板
５５  反射部材（反射面）
【図１】
2010084987.tif 000003
【図２】
2010084987.tif 000004
【図３】
2010084987.tif 000005
【図４】
2010084987.tif 000006